(57)【要約】【課題】  機能ユニットの収納・引き出し動作による自動取引装置の開口部における手挟みを確実に防止し、安全性を確保できる自動取引装置を提供することにある。【解決手段】  紙葉類の入金又は出金を行う紙葉類取扱装置３と、紙葉類取扱装置３の一部をあてはめる開口部５と、開口部５にあてはめられた紙葉類取扱装置３の一部へのアクセスを規制するシャッタと、紙葉類取扱装置３の一部を開口部５にあてはめた状態における紙葉類取扱装置３の位置である収納位置と、シャッタの開動作に連動して、紙葉類取扱装置の収納位置への収納又は前記収納位置からの引き出しを制限するストッパ部２０とを有する。【選択図】  図９
2010182127.tif 000002
【特許請求の範囲】
【請求項１】
機能ユニットの一部をあてはめる開口部と、
前記開口部にあてはめられた前記機能ユニットの一部へのアクセスを規制するシャッタと、
前記機能ユニットの一部を前記開口部にあてはめた状態における前記機能ユニットの位置である収納位置と、
前記シャッタの開動作に連動して、前記機能ユニットの前記収納位置への収納又は前記収納位置からの引き出しを制限するストッパ部と、を備える自動取引装置。
【請求項２】
請求項１記載の自動取引装置であって、
前記シャッタと前記ストッパ部を連動させる連結部を備え、
前記ストッパ部は、前記機能ユニットの前記収納位置への収納又は前記収納位置からの引き出しを制限する制限状態と、前記機能ユニットの前記収納位置への収納又は前記収納位置からの引き出しを許可する許可状態とを有し、
前記連結部は、前記シャッタの開動作に連動して、前記ストッパ部を前記制限状態にすることを特徴とする。
【請求項３】
請求項２記載の自動取引装置であって、
前記制限状態は、前記ストッパ部が前記機能ユニットの前記収納位置への収納又は収納位置からの引き出しをする経路に突出することを特徴とする自動取引装置。
【請求項４】
請求項２記載の自動取引装置であって、
前記機能ユニットは、前記収納位置への収納動作中又は前記収納位置からの引き出し動作中に、前記シャッタの開動作に連動して前記連結部が前記ストッパ部を前記制限状態にすることを、制限することを特徴とする。
【請求項５】
請求項４記載の自動取引装置であって、
前記機能ユニットは、前記収納位置へ収納動作中又は前記収納位置からの引き出し動作中に、前記シャッタの開動作に連動して前記連結部が前記ストッパ部を前記機能ユニットの前記収納位置への収納又は収納位置からの引き出しをする経路へ突出させることを制限することを特徴とする自動取引装置。
【請求項６】
請求項２乃至５のいずれかに記載の自動取引装置であって、
前記機能ユニットは、前記ストッパ部が制限状態の場合に、該ストッパ部と当接するストッパ台を備えることを特徴とする自動取引装置。
【請求項７】
請求項１乃至６のいずれかに記載の自動取引装置であって、
前記機能ユニットは、貨幣の入出金取引を行う貨幣取扱装置を含み、
前記貨幣取扱装置は、利用者に貨幣を放出又は利用者から貨幣を受け入れる入出金口を備え、
前記入出金口を前記開口部にあてはめることを特徴とする自動取引装置。
【発明の詳細な説明】
【技術分野】
【０００１】
本発明は、利用者の操作に応じて取引等を行う自動取引装置に係り、特に顧客操作口を覆う外部シャッタを設けた自動取引装置に関する。
【背景技術】
【０００２】
自動取引装置は、紙幣の入出金を行う紙幣入出金ユニット、カードユニット等の機能ユニットを実装する。特に、自動取引装置本体をビルなどの壁に埋め込んだ状態で設置する場合に、利用者が操作を行うための操作パネル、操作部、顧客操作口等の顧客操作面を露出させた屋外設置型の自動取引装置が存在する。屋外設置型の自動取引装置等は、防滴、防塵のため、顧客操作口を外側から覆い、電動又は手動で開閉できる外部シャッタを備えている。
【０００３】
従来の装置としては、特開２００３−３１７１３３（特許文献１）に示される自動取引装置が提案されている。
【先行技術文献】
【特許文献】
【０００４】
【特許文献１】特開２００３−３１７１３３
【発明の概要】
【発明が解決しようとする課題】
【０００５】
特許文献１の自動取引装置の保守・点検を行う場合、機能ユニットが後方に引き出される。その際、自動取引装置の顧客操作面には、機能ユニットに対応する箇所に開口部が生じ、この開口部において利用者、保守員等の手挟みが発生することがあった。
【０００６】
本発明の目的は、開口部周辺における手挟みを確実に防止し、安全性を確保できる自動取引装置を提供することにある。
【課題を解決するための手段】
【０００７】
本発明は、紙葉類の入金又は出金を行う紙葉類取扱装置と、紙葉類取扱装置の一部をあてはめる開口部と、開口部にあてはめられた紙葉類取扱装置の一部へのアクセスを規制するシャッタと、紙葉類取扱装置の一部を開口部にあてはめた状態における紙葉類取扱装置の位置である収納位置と、シャッタの開動作に連動して、紙葉類取扱装置の収納位置への収納又は前記収納位置からの引き出しを制限するストッパ部と、を備える。
【発明の効果】
【０００８】
本発明によれば、自動取引装置の開口部周辺における手挟みを確実に防止し、安全性を確保できる。
【図面の簡単な説明】
【０００９】
【図１】自動取引装置の全体外観図を示す斜視図。
【図２】自動取引装置の外壁設置状態を示す外観図。
【図３】顧客操作口のシャッタ構造を示す斜視図。
【図４】顧客操作口のシャッタ構造を示す断面図。
【図５】ストッパシャフトの取付け部と機能ユニット搭載状態を示す斜視図。
【図６】機能ユニットにストッパ部を取り付けた状態を示す斜視図。
【図７】ストッパシャフトの取付けの詳細を示す断面図。（図5のA-A断面図）
【図８】機能ユニットを収納位置に収納した状態で、外部シャッタを開いた状態を示す断面図。
【図９】機能ユニットを収納位置から引き出した状態で、外部シャッタを開いた状態を示す断面図。
【図１０】機能ユニットの収納動作中又は引き出し動作中で、外部シャッタを開こうとした状態を示す断面図。
【図１１】第２実施例による顧客操作口のシャッタが閉まった状態を示す斜視図。
【図１２】第２実施例による顧客操作口のシャッタが開いた状態を示す斜視図。
【発明を実施するための形態】
【００１０】
以下、本発明の一実施例について図面を参照して詳細に説明する。
【実施例１】
【００１１】
図１は、自動取引装置の概観を示す。
【００１２】
自動取引装置１は、紙幣の入金又は出金を行う紙幣入出金ユニット３（紙葉類取扱装置、ともいう）と、紙幣入出金ユニットをスライドするスライドレール２と、後扉９１とを備え、紙幣入出金ユニット３の保守、点検等の場合には、自動取引装置１の後扉９１を開き、紙幣入出金ユニット３を自動取引装置１の本体から引き出し、保守、点検等の後、紙幣入出金ユニット３を自動取引装置１に収納する。図１は、紙幣入出金ユニット３が、自動取引装置１から引き出された状態を示す。
【００１３】
また、自動取引装置１は、顧客、利用者に対向し、入出金時等に利用者等が利用する面である顧客操作面４と、紙幣等の入金や出金時に利用者が手を入れて紙幣等の投入や取り出しを行う顧客操作口５とを有する。
【００１４】
なお、自動取引装置１は、紙幣入出金ユニット３の他に、カードの読み取りを行うカード取扱ユニットや、通帳類の印字、再発行を行う通帳取扱ユニット、また硬貨の入金、出金を行う硬貨入出金ユニット等の各種の機能ユニットを備えている。これらの機能ユニットは、スライドレール等により、紙幣入出金ユニット３と同様に自動取引装置１からの引き出し及び自動取引装置１への収納が可能な構成となっている。
【００１５】
図２は、外壁６に設置された自動取引装置１を示す。自動取引装置１は、外壁６に埋め込まれ、顧客操作面４が屋外に露出し、紙幣の補充や保守点検作業等で係員操作が行われる装置後面側を屋内に入れた状態で設置（外壁設置とも言う）される。また、自動取引装置１は、顧客操作口５に外部シャッタ８（図３にて説明する）を実装している。雨が降ったときなど、顧客操作口５から自動取引装置１の内部への雨水の浸入を防ぐためである。
【００１６】
外部シャッタ８は、雨水の浸入を最小限に留めるために、紙幣や硬貨の出し入れ操作時以外、閉じた状態となる。また、外部シャッタ８は、透明又は半透明のアクリル製等の材質で構成されており、閉じた状態でも顧客操作口５内の紙幣の有無が確認できる。顧客操作口５の内部が透けて見えるため、紙幣入出金ユニット３の入出金口２３（図６にて説明する）に取り付けられた入出金口シャッタの開閉動作も確認できる。
【００１７】
図３、図４は、顧客操作口５の詳細を示す。図３は、顧客操作口５のシャッタ構造を示す斜視図である。図４は、顧客操作口５のシャッタ構造を示す断面図である。以下、図３、図４を用いて、顧客操作口５の詳細について説明する。
【００１８】
外部シャッタ８は、本体入出金口７の内部が見えるように、例えばアクリルプレートのような透明又は半透明な部材で構成されており、紙幣の有無が確認できる。また、本体入出金口７を覆うような形状であるため、本体入出金口７への雨水の浸入を防止する。
【００１９】
図４に示すように、顧客操作口５は、回転軸受け１８を有し、外部シャッタ８は、軸受け１７を有する。外部シャッタ８の回転軸９は、軸受け１７、軸受け１８の穴中心と結合し、外部シャッタ８の回転軸９は、さらにコイルばね１０を有する。外部シャッタ８は、外部から押下されると回転軸９を中心に開くように回転し、且つ外部からの押下がない場合は、コイルばね１０の付勢力により、閉じた状態となるように支持されている。
【００２０】
例えば、紙幣入出金ユニット３が紙幣を出金した場合、利用者により、外部シャッタ８は、コイルばね１０の付勢力に抗して押し開けられる。そして、紙幣入出金ユニット３が出金した紙幣を利用者により取り出された後、外部シャッタ８は、コイルばね１０の付勢力により閉じた状態となる。このように、外部シャッタ８は、ヒンジ９近傍の回転支点を中心に装置手前又は奥方向（前後）に回転し、後述の紙幣入出金ユニット３の入出金口２３（図６にて説明する）を覆う入出金口シャッタをさらに覆うシャッタとなる。
【００２１】
図３又は図４に示すように、アーム受け部１６は、顧客操作口５の後部に設けられている。ストッパシャフト（図５にて説明する）と当接するストッパシャフト押し部１４を有するアーム１２は、回転軸５０によりアーム受け部１６と連結し、バー１５を介して連結軸５１、５２により外部シャッタ８と連結している。これにより、外部シャッタ８の開閉動作に連動してアーム１２は、回転軸５０を中心に図３又は図４の矢印方向１１に動作する。
【００２２】
アーム１２、ストッパシャフト押し部１４、バー１５、アーム受け部１６、回転軸５０、連結軸５１、５２のように、外部シャッタ８と連結され、外部シャッタ８の開閉動作に連動して動作する機構をリンク機構又は連結部という。
【００２３】
図４では装置手前側より右側にリンク機構を設置しているが、装置手前側より左側でも良い。
【００２４】
図５−図７は、ストッパシャフト固定部１９（取り付け部ともいう）に設けたストッパシャフト２０（ストッパ部ともいう。）と、紙幣入出金ユニット３に設けたストッパ台２４を示す。
【００２５】
図５は、これらの斜視図を示す。また、図６は、紙幣入出金ユニット３の前面斜視図である。
【００２６】
ストッパシャフト固定部１９は、自動取引装置１の右側面、左側面をつなぐ様に連結し、ストッパシャフト２０が挿入される孔を有している。ストッパシャフト固定部１９は、自動取引装置１の左右の側面にネジで固定している。破損時の交換が容易とするためである。なお、ストッパシャフト２０は、図５では、円柱になっているが角柱などでも良い。
【００２７】
紙幣入出金ユニット３は、出金時に利用者に紙幣を放出し、入金時に利用者から紙幣を受付ける入出金口２３と、入出金口２３の上部に、入出金時に開閉動作する入出金口シャッタを有する。また、紙幣入出金ユニット３は、ストッパシャフト２０と左右方向が一致する位置にストッパ台２４を有する。なお、ストッパ台２４は、ネジ等で紙幣入出金ユニット３に固定されており、破損時の交換が容易な構成となっている。
【００２８】
図７は、ストッパシャフト２０とストッパ台２４の取付けの断面図を示す（図５のA-A断面図に相当する）。ストッパシャフト２０は、ストッパシャフト固定部１９のコの字形状の内側上部に位置する部位にバネ受け２２を有する。また、圧縮ばね２１は、バネ受け２２の下部に配置される。ストッパシャフト２０は、上下に動作することが可能となっており、ストッパシャフト２０のバネ受け２２が、圧縮ばね２１の付勢力によりストッパシャフト固定部１９のコの字形状の内側上部（矢印Ｂ方向）に押さえつけられた状態、すなわち図７に示すような状態を定位置とする。ストッパシャフト２０が定位置の場合に、ストッパシャフト２０とストッパ台２４との隙間Ｇを確保する又はストッパシャフト２０が紙幣入出金ユニット３の収納又は引き出しの障害とならないようにする。これにより、ストッパシャフト２０は、紙幣入出金ユニット３の自動取引装置１の本体に対する引き出し又は収納を制限、許可する。
【００２９】
ここで、紙幣入出金ユニット３の入出金口２３（紙葉類取扱装置の一部ともいう）を、自動取引装置１の本体入出金口７（開口部ともいう）にあてはめた状態で入出金取引などの通常の取引が行われる。この紙幣入出金ユニット３の入出金口２３を、自動取引装置１の本体入出金口７にあてはめた状態における紙幣入出金ユニット３の位置を紙幣入出金ユニット３の収納位置といい、自動取引装置１の本体に対する引き出し又は収納とは、紙幣入出金ユニット３を収納位置から引き出し（紙幣入出金ユニット３の引き出し動作ともいう）又は収納位置に収納する（紙幣入出金ユニット３の収納動作ともいう）ことをいう。
【００３０】
図８−図１０は、外部シャッタ８と、外部シャッタ８に連結されたリンク機構と、ストッパシャフト２０と、紙幣入出金ユニット３に設けたストッパ台２４とからなるストッパ機構の動作を示す。
【００３１】
図８は、紙幣入出金ユニット３を自動取引装置１の本体に収納し、外部シャッタ８を開いた状態を示す断面図である。
【００３２】
外部シャッタ８が開かれる（矢印６１方向に押される）と、外部シャッタ８と連結軸５２で連結したバー１５が矢印６２方向に移動し、更に、バー１５と連結軸５１で連結したアーム１２が回転軸５０を中心に矢印６３方向に回転することで、アーム１２に設けたストッパシャフト押し部１４がストッパシャフト２０を矢印Ｃ方向に押し出すことになる。
【００３３】
紙幣入出金ユニット３が自動取引装置１の本体に収納されている状態で、外部シャッタ８が開かれると、リンク機構が外部シャッタ８の開動作に連動し、紙幣入出金ユニット３に設置したストッパ台２４の後方にストッパシャフト２０を突出させる。紙幣入出金ユニット３が引き出しされる経路に突出したストッパシャフト２０は、紙幣入出金ユニット３の矢印Ｄ方向への引き出しを制限する。すなわち、オペレータが、紙幣入出金ユニット３を、矢印Ｄ方向への引き出そうとしても、ストッパシャフト２０が、ストッパ台２４の当接部２５と接触し、障害物となり、オペレータによる紙幣入出金ユニット３の引き出しを制限、阻止する。
【００３４】
これにより、紙幣入出金ユニット３の入出金口２３に手が挿入された状態で、即ち、外部シャッタ８が開かれた状態で、紙幣入出金ユニット３が引き出され、自動取引装置１と紙幣入出金ユニット３とにより手が挟まれることを回避することができる。特に、紙幣入出金ユニットや硬貨入出金ユニットなどの貨幣取扱装置は、貨幣を利用者から受け入れ又は放出する入出金口を有するため、この入出金口に利用者が手を挿入している状態で、貨幣取扱装置が引き出される可能性があり、外部シャッタが開状態で、貨幣取扱装置が引き出されることを制限することにより、開口部周辺の安全性を高めることが可能となる。
【００３５】
図９は、紙幣入出金ユニット３が引き出され、外部シャッタ８が開かれた状態を示す断面図である。
【００３６】
外部シャッタ８が開かれると、図８と同様に、リンク機構のストッパシャフト押し部１４がストッパシャフト２０を矢印Ｃ方向に押し出すことになる。
【００３７】
紙幣入出金ユニット３が自動取引装置１の本体から引き出された状態で、外部シャッタ８が開かれると、リンク機構が外部シャッタ８の開動作に連動し、紙幣入出金ユニット３に設置したストッパ台２４の前方にストッパシャフト２０を突出させる。紙幣入出金ユニット３が収納される経路に突出したストッパシャフト２０は、紙幣入出金ユニット３の矢印Ｅ方向への収納を制限する。すなわち、オペレータが、紙幣入出金ユニット３を、矢印Ｅ方向へ収納しようとしても、ストッパシャフト２０が、ストッパ台２４の当接部２６と接触し、障害物となり、オペレータによる紙幣入出金ユニット３の収納を制限、阻止する。
【００３８】
ストッパシャフト２０は、ストッパシャフト固定部１９のコの字形状の上下に設けた穴で前後左右方向の移動を規制することで、上下方向（矢印Ｃ方向または矢印Ｂ方向）へのみ動作可能であり、当接部２５又は当接部２６でストッパシャフト２０とストッパ台２４が当たり、ストッパシャフト２０に衝撃が加わっても、ストッパシャフト２０へは前後左右方向の力が加わるだけで、ストッパシャフト押し部１４を介して外部シャッタ８を装置手前側へ閉める方向（矢印Ｂ方向）へ力が加わらないため、顧客操作口５に顧客、利用者の手が入っていても外部シャッタ８が閉まらず、手を挟む危険は無い。
【００３９】
当接部２５又は当接部２６の衝撃を和らげるためストッパ台２４にダンパー機能を持つゴムクッション等を貼り付けても良い。
【００４０】
これにより、本体入出金口７に手が挿入された状態で、即ち、外部シャッタ８が開かれた状態で、紙幣入出金ユニット３が収納され、自動取引装置１と紙幣入出金ユニット３とにより手が挟まれることを回避することができる。
【００４１】
ここで、図８、図９で説明したように、ストッパシャフト２０が、紙幣入出金ユニット３の収納又は引き出しの障害となっている状態をストッパシャフト２０の制限状態という。
【００４２】
図１０は、紙幣入出金ユニット３を引き出し動作中、又は収納動作中で、外部シャッタ８を開こうとした状態を示す断面図である。
【００４３】
紙幣入出金ユニット３が自動取引装置１に収納されている状態（図８の状態）から、矢印Ｄ方向に引き出される引き出し動作中、又は紙幣入出金ユニット３が自動取引装置１から引き出された状態（図９の状態）から、矢印Ｅ方向に収納される収納動作中は、紙幣入出金ユニット３に設けたストッパ台２４のＨ寸法の範囲で、ストッパ台２４の上部にストッパシャフト２０が位置することとなる。そうすると、ストッパシャフト押し部１４を有するアーム１２が回転軸５０を中心にストッパシャフト２０を押し下げる方向に回転できず、アーム１２にバー１５を介して連結軸５１、５２により連結される外部シャッタ８が開くことが出来なくなる。すなわち、オペレータが、外部シャッタ８を開こうとしても、ストッパ台２４の上部の当接部２７が、ストッパシャフト２０の下部と接触し、障害物となり、オペレータによる外部シャッタ８の押し下げを制限する。
【００４４】
ここで、図７、図１０で説明したように、ストッパシャフト２０が紙幣入出金ユニット３の収納又は引き出しの障害とならないようになっている状態をストッパシャフト２０の許可状態という。
【００４５】
なお、図７に示すように紙幣入出金ユニット３を自動取引装置１から引き出し収納させるために隙間Ｇを設けているため、ストッパシャフト２０は、ストッパ台２４の上部の当接部２７に当接するまでに、押し下げる余地があり、これに伴い外部シャッタ８も外部シャッタ（定位置）３８から開く（押す）ことが出来るが、本体入出金口７と外部シャッタ８の隙間Ｆを指が入らない寸法にしておく（例えば5ｍｍ以下）ことで、顧客操作部入出金口７に指を入れることが出来ないように規制している。
【００４６】
これにより、紙幣入出金ユニット３が収納又は引き出されている状態で、本体入出金口７に手が挿入され、自動取引装置１と紙幣入出金ユニット３とにより手が挟まれることを回避、防止することができる。
【実施例２】
【００４７】
図１１、図１２は、顧客操作口２８の外部シャッタ２９と、外部シャッタ２９と連動するリンク機構の第２実施例を示す。ストッパシャフト２０と紙幣入出金ユニット３のストッパ台２４との関係は、第一実施例と同様のため、省略する。外部シャッタ２９の開閉動作は、第一実施例の他に上下方向や本体入出金口７に平行して前後方向への開閉動作が考えられるが、第二実施例としては、外部シャッタ２９が上方向に開く場合の実施例を説明する。
【００４８】
図１１は、顧客操作口２８の外部シャッタ２９が閉まった状態の斜視図を示す。
【００４９】
外部シャッタ２９は、本体入出金口７の内部が見えるように、例えばアクリルプレートのような透明又は半透明な部材でできており、紙幣や貨幣の有無が確認できる。また、外部シャッタ２９は、本体入出金口７を覆うような形状であるため、本体入出金口７への雨水の浸入も防ぐことが可能である。
【００５０】
外部シャッタ２９は、突起部３０を有し、スライドレールやシャフト等により保持されることで上下方向にスライド可能な構成を有する。アーム受け部３７は、顧客操作口２８の後側に配置され、ストッパシャフト押し部３４とアーム押し部３１を有するアーム３３と回転軸３５により連結されている。アーム３３は、回転軸３５を中心に矢印方向に回転可能な構成を有する。アーム３３は、アーム受け部３７と引張ばね３６で連結され、図１１のように外部シャッタ２９が閉まった状態では、引張ばね３６の付勢力により、顧客操作口２８に設けられたアームストッパ３２に押し付けられ定位置に配置される。
【００５１】
なお、第２実施例のアーム押し部３１、アーム３３、ストッパシャフト押し部３４、回転軸３５、が、連結部又はリンク機構に該当する。
【００５２】
図１２は、顧客操作口２８の外部シャッタ２９が開いた状態の斜視図を示す。外部シャッタ２９を矢印方向７１に開くと、外部シャッタ２９に設けた突起３０がアーム押し部３１と当接することで、アーム３３は、回転軸３５を中心に矢印方向に回転し、ストッパシャフト押し部３４がストッパシャフト２０に当たり、ストッパシャフト２０を矢印Ｃ方向に押し下げる。
【００５３】
紙幣入出金ユニット３との関係では、図１１の状態において、紙幣入出金ユニット３が収納動作中又は引き出し動作中の場合、紙幣入出金ユニット３のストッパ台２４が、紙幣入出金ユニット３の収納又は引き出し経路へのストッパシャフト２０の突出を制限するため、外部シャッタ２９は開くことができない（図１２の状態になることができない）。
【００５４】
一方、図１１の状態において、紙幣入出金ユニット３が自動取引装置１の収納位置に収納されている場合又は引き出されている場合は、外部シャッタ２９の開動作に連動し、リンク機構が、紙幣入出金ユニット３の収納又は引き出し経路へストッパシャフト２０を突出させる。ストッパシャフト２０の突出により、収納位置にあった紙幣入出金ユニット３の引き出し又は引き出されていた紙幣入出金ユニット３の収納位置への収納が制限される。
【００５５】
一方、紙幣入出金ユニット３が自動取引装置１への収納動作中又は自動取引装置１からの引き出し動作中の場合、第一実施例と同様、紙幣入出金ユニット３がストッパシャフト２０を許可状態になることを制限するため、外部シャッタ２９は開くことができなくなる。
【００５６】
これにより、自動取引装置１と紙幣入出金ユニット３の間での手挟みを防止することが可能となる。
【００５７】
以上のように本実施例によれば、外部シャッタ８の開閉状態に連動して、紙幣入出金ユニット３の収納位置への収納又は収納位置からの引き出しを制限・許可するストッパシャフト２０を備えることにより、利用者等の手挟みを防止することが可能となる。
【００５８】
この際、外部シャッタ８とストッパシャフト２０を連動させる連結部を備え、連結部が、外部シャッタ８の開動作に連動して、ストッパシャフト２０を制限状態にし、外部シャッタ８の閉動作に連動して、ストッパシャフト２０を許可状態にする構成としても良い。これにより、外部シャッタ８の電源有無に拘わらず、低コストで安全性を高めることができる。
【００５９】
また、外部シャッタ８の開閉を検知する検知センサと、検知センサにより検知した外部シャッタ８の開閉状態に応じて、ストッパシャフト２０を制限状態又は許可状態にするように制御する制御部とを有し、外部シャッタ８が開状態の場合に、ストッパシャフト２０を制限状態にし、外部シャッタ８が閉状態の場合に、ストッパシャフト２０を許可状態とする構成でも良い。なお、ストッパシャフト２０は、図示しないモータ等の駆動部により駆動される構成とする。本構成を採用すると連結部が不要となる。
【００６０】
また、ストッパシャフト２０の制限状態は、ストッパシャフト２０が紙幣入出金ユニット３の収納位置への収納又は収納位置からの引き出しをする経路に突出した状態とし、ストッパシャフト２０の許可状態は、ストッパシャフト２０が紙幣入出金ユニット３の収納位置への収納又は収納位置からの引き出しをする経路に突出していない状態とするとよい。
【００６１】
また、紙幣入出金ユニット３が収納位置への収納動作中又は前記収納位置からの引き出し動作中に、外部シャッタ８の開動作を制限する構成であっても良い。
【００６２】
この際、紙幣入出金ユニット３は、収納位置への収納動作中又は前記収納位置からの引き出し動作中に、連結部により外部シャッタ８の開閉と連動して動作するストッパシャフト２０が、許可状態から制限状態になるのを制限する構成としてもよい。これにより、外部シャッタ８の電源有無に拘わらず、低コストで安全性を高めることができる。
【００６３】
本実施例では、自動取引装置としてＡＴＭ（Ａｕｔｏｍａｔｉｃ Ｔｅｌｌｅｒ Ｍａｃｈｉｎｅ：現金自動預払機）、ＣＤ（Ｃａｓｈ Ｄｉｓｐｅｎｓｅｒ：現金自動支払機）、両替機等の紙幣入出金ユニット３を有するものにより説明をしたが、自動取引装置としては、鉄道の駅、道の駅、バスの停留所、高速道路のサービスエリアやパーキングエリア、遊技場、劇場、博物館、駐車場、食堂、スポーツ施設等に配設された自動券売機等であってもよい。また、その他のいかなる種類の自動取引装置であってもよい。
【００６４】
また、自動取引装置のユニットとして、紙幣入出金ユニット３を用いて説明をしたが、通帳取扱ユニット、硬貨入出金ユニット等の各種の機能ユニットであって、自動取引装置の当該機能ユニットをあてはめる開口部を有するものであればよい。
【００６５】
また、雨水の浸入を防止する外部シャッタ８を用いて説明をしたが、自動取引装置のシャッタであって、前述の開口部へのアクセスを制限、規制することが可能なシャッタなどの遮蔽物であればよい。
【００６６】
また、ストッパ台は、上記実施例の形態に限るものではなく、機能ユニットが収納位置にある場合に、ストッパシャフトが制限状態へなることを許容し、機能ユニットが収納動作中又は引き出し動作中の場合は、ストッパシャフトが制限状態になることを制限するような構造であればよい。特に、ストッパシャフトが機能ユニットの収納又は引き出し経路に突出する構成である場合は、ストッパシャフトとストッパ台が当接することで、当該突出を阻害、制限する構成であってもよい。さらに、機能ユニットの構造によっては、ストッパ台は、必要ない場合もある。すなわち、機能ユニットの外形が自動取引装置のストッパシャフトとの関係で、機能ユニットの自動取引装置の収納位置への収納又は収納位置からの引き出しを阻害、制限する構成となっていれば良い。さらに、機能ユニットの外形が自動取引装置のストッパシャフトとの関係で機能ユニットの収納動作中又は引き出し動作中に、ストッパシャフトが制限状態になることを阻害、制限する構成となっていれば良い。特に、ストッパシャフトが機能ユニットの収納又は引き出し経路に突出する構成である場合は、ストッパシャフトと機能ユニットが当接することで、当該突出を阻害、制限するような構成であってもよい。
【符号の説明】
【００６７】
１…自動取引装置、２…スライドレール、３…紙幣入出金ユニット、４…顧客操作面、５…顧客操作口、６…外壁、７…本体入出金口、８…外部シャッタ、９…回転軸、１０…コイルばね、１２…アーム、１４…ストッパシャフト押し部、１５…バー、１６…アーム受け部、１７…軸受け、１８…軸受け、１９…ストッパシャフト固定部、２０…ストッパシャフト、２１…圧縮ばね、２２…バネ受け、２３…入出金口、２４…ストッパ台、２５…当接部、２６…当接部、２７…当接部、２８…顧客操作口、２９…外部シャッタ、３０…突起部、３１…アーム押し部、３２…アームストッパ、３３…アーム、３４…ストッパシャフト押し部、３５…回転軸、３６…引張ばね、３７…アーム受け部、３８…外部シャッタ（定位置）、５０…回転軸、５１…連結軸、５２…連結軸、９１…後扉
【図１】
2010182127.tif 000003
【図２】
2010182127.tif 000004
【図３】
2010182127.tif 000005
【図４】
2010182127.tif 000006
【図５】
2010182127.tif 000007
【図６】
2010182127.tif 000008
【図７】
2010182127.tif 000009
【図８】
2010182127.tif 000010
【図９】
2010182127.tif 000011
【図１０】
2010182127.tif 000012
【図１１】
2010182127.tif 000013
【図１２】
2010182127.tif 000014